(57)【要約】【課題】線材コイルを効率良くシャワー水で洗浄できる高圧水洗装置を提供する。【解決手段】Ｃ形フック６に掛止された線材コイル７の内周側をシャワー洗浄し得るノズル１０ａ，１０ｂを有する２本の内洗シャワー管を備え、一方の内洗シャワー管のノズル１０ａの位置と他方の内洗シャワー管のノズル１０ｂの位置をずらせて、各ノズル１０ａ，１０ｂから噴出されるシャワー水が相互干渉しないように段違い状に各ノズル１０ａ，１０ｂを配置して構成する。また、外周側をシャワー洗浄し得る外洗シャワーリング１２には上部のみにノズル部１２ａ，１２ａが形成されている。また、線材コイル７がコイル回転バー１５，１５の回転につられて回転されるように構成する。【選択図】図５
2014091859.tif 000002
【特許請求の範囲】
【請求項１】
フックに掛止された線材コイルの内周側をシャワー洗浄し得るノズルを有する２本の内洗シャワー管を備え、
一方の内洗シャワー管のノズルの位置と、他方の内洗シャワー管のノズルの位置をずらせて、各ノズルから噴出されるシャワー水が相互干渉しないように段違い状に各ノズルを配置した
ことを特徴とする線材コイルの高圧水洗装置。
【請求項２】
フックに掛止された線材コイルの外周側をシャワー洗浄し得るリング状のシャワーリングを備えるとともに、回転することにより前記線材コイルを回転させることのできるコイル回転バーを備え、
前記シャワーリングには上部側のみに、下向き又は横向きにシャワー水を噴出するノズルを設け、
前記コイル回転バーを回転させて前記線材コイルを順次回転させることにより該線材コイルの外周全域を洗浄できるように構成した
ことを特徴とする線材コイルの高圧水洗装置。
【請求項３】
前記コイル回転バーの回転量を検出する手段を設け、
該回転量検出手段の検出信号に基づいて、前記シャワーリングを線材コイルの軸線方向に往復動させる機構を適正に制御する制御手段を備えている
ことを特徴とする請求項２に記載の線材コイルの高圧水洗装置。
【発明の詳細な説明】
【技術分野】
【０００１】
本発明は、線材コイルを洗浄するための高圧水洗装置に関するものである。
【背景技術】
【０００２】
従来、特許文献１に開示されているような酸洗装置が存在する。
【先行技術文献】
【特許文献】
【０００３】
【特許文献１】特開平６−２１２４６５号公報
【発明の概要】
【発明が解決しようとする課題】
【０００４】
上記特許文献１に開示されている酸洗装置では、Ｃ形フックに掛止された線材コイルを酸洗槽内に漬けて線材コイルの黒皮を除去することが行われているが、この酸洗後に、線材コイルを高圧のシャワー水で洗浄する必要があり、高圧のシャワー水を噴出させる水洗装置では、線材コイルの内周側を洗浄するための内洗シャワー管から噴出されるシャワー水が相互干渉して、洗浄効率が悪くなるという問題点があった。
また、線材コイルの外周側全周に外側からシャワー水を噴出させると、噴出されたシャワー水が上方へ噴き上がってしまうという問題点があった。
【課題を解決するための手段】
【０００５】
本発明は、ノズルから噴出されるシャワー水の相互干渉をなくして洗浄効率を向上させることができ、また、シャワー水の上方への噴き上がりを防いで良好に線材コイルを洗浄できる高圧水洗装置の提供を目的とし、この目的の少なくとも一部を達成するために以下の手段を採った。
本発明の線材コイルの高圧水洗装置は、フックに掛止された線材コイルの内周側をシャワー洗浄し得るノズルを有する２本の内洗シャワー管を備え、一方の内洗シャワー管のノズルの位置と、他方の内洗シャワー管のノズルの位置をずらせて、各ノズルから噴出されるシャワー水が相互干渉しないように段違い状に各ノズルを配置したことを要旨とする。
【発明の効果】
【０００６】
２本の内洗シャワー管にそれぞれ設けられたノズルの位置が段違い状に配置されているため、各ノズルから噴出されるシャワー水が相互に干渉することが回避されて、洗浄効率が向上するものとなる。
【０００７】
また、本発明の線材コイルの高圧水洗装置は、フックに掛止された線材コイルの外周側をシャワー洗浄し得るリング状のシャワーリングを備えるとともに、回転することにより前記線材コイルを回転させることのできるコイル回転バーを備え、前記シャワーリングには上部側のみに、下向き又は横向きにシャワー水を噴出するノズルを設け、前記コイル回転バーを回転させて前記線材コイルを順次回転させることにより該線材コイルの外周全域を洗浄できるように構成したことを要旨とする。
こうすれば、線材コイルの外周側を洗浄するシャワーリングには上部側のみにノズルが設けられ、このノズルから下向き又は横向きにシャワー水が噴出されるため、シャワー水が上方へ噴き上げられることがない。
なお、コイル回転バーを回転させて線材コイルを順次回転させることにより、線材コイルの外周全域にシャワーリングのノズルからのシャワー水が行き渡り、線材コイルの外周全域を良好に洗浄できるものとなる。
【０００８】
また、本発明の線材コイルの高圧水洗装置において、前記コイル回転バーの回転量を検出する手段を設け、該回転量検出手段の検出信号に基づいて、前記シャワーリングを線材コイルの軸線方向に往復動させる機構を適正に制御する制御手段を備えているものとすることもできる。
こうすれば、コイル回転バーの回転量に伴う線材コイルの回転と、洗浄水を噴出させるシャワーリングの往復動を適正に連動させて、効率良く線材コイルの全周を良好に洗浄できるものとなる。
【図面の簡単な説明】
【０００９】
【図１】線材コイルの高圧水洗装置の正面構成図である。
【図２】高圧水洗装置の平面構成図である。
【図３】高圧水洗装置のシャワータンク部分の拡大正面構成図である。
【図４】高圧水洗装置のシャワータンク部分の拡大平面構成図である。
【図５】シャワータンク内で線材コイルに対し内側と外側からシャワー水を噴出させて洗浄している状態の側面拡大概略構成図である。
【発明を実施するための形態】
【００１０】
次に、本発明を実施するための形態を実施例を用いて説明する。
図１は、高圧水洗装置の正面構成図であり、図２は、高圧水洗装置の平面構成図である。なお、図３は、シャワータンク部分の正面拡大図であり、また、図４は、シャワータンク部分の平面拡大図である。
【００１１】
高圧水洗装置１の機台２の図示右側にはシャワータンク３が備えられており、このシャワータンク３の上方には、受け台４上にコイル搬送台５が載置される。
このコイル搬送台５の下面側にはＣ形フック６が設けられ、このＣ形フック６のコイル受け面６ａに線材コイル７が掛止されており、この掛止された線材コイル７の内周側をシャワー洗浄するために、２本の内洗シャワー管１０，１０が機台２側から往復動可能に延出されている。
【００１２】
また、線材コイル７の外周を洗浄する洗浄水を送るための外洗シャワー管１１，１１が機台２側から線材コイル７の外周側に延出され、一対の外洗シャワー管１１，１１も図示左右方向に往復動できるように構成されて、一対の外洗シャワー管１１，１１の図示右端側には、図５の拡大側面図で示すような、リング状の外洗シャワーリング１２が設けられている。なお、外洗シャワーリング１２の上端側は、Ｃ形フック６と干渉しないように切り欠かれている。
即ち、機台２に設けられたシャワー走行モーター１８が駆動されることで、一対の内洗シャワー管１０，１０および外洗シャワー管１１，１１に連結された外洗シャワーリング１２が図示左右方向に往復移動して、線材コイル７の内周および外周にシャワー水を噴出させることができるものである。
【００１３】
各内洗シャワー管１０，１０の先端側には、それぞれノズル部１０ａ，１０ｂが形成されており、この各ノズル部１０ａ，１０ｂからシャワー水が線材コイル７の内周に向かって噴出されるが、図５に示すように、各ノズル部１０ａ，１０ｂから噴出されるシャワー水は下方に向かって噴出されるものである。
本例では、一方の内洗シャワー管１０のノズル部１０ａの位置と、他方の内洗シャワー管１０のノズル部１０ｂの位置が、図２および図４に示すように図示左右方向（線材コイル７の軸線方向）にずらした位置に配置されており、例えば、４０ｍｍ程度左右にずらした位置にノズル部１０ａとノズル部１０ｂが配置されて構成されている。
従って、各ノズル部１０ａ，１０ｂから噴出されるシャワー水がぶつかり合って相互干渉することがなく、各ノズル部１０ａ，１０ｂから噴出される洗浄水が直接線材コイル７の内周面に噴出されて洗浄効果が向上するように構成されている。
【００１４】
また、外洗シャワー管１１，１１の先端に連結されたリング状の外洗シャワーリング１２には、上部部位のみに、下向き又は横向きにシャワー水を噴出する複数のノズル部１２ａ，１２ａが形成されている。
この外洗シャワーリング１２は、図５に示すように、シャワータンク３の内壁に設けられたレール１７，１７上に走行用車輪１６，１６が配置されて、この走行用車輪１６に支持されており、外洗シャワーリング１２はシャワータンク３内で、図１および図２における左右方向にスムーズに往復動することができるものである。
【００１５】
なお、一対の内洗シャワー管１０，１０および外洗シャワー管１１，１１には、シャワーポンプ８からの高圧水がシャワーホース９を通して供給されるものである。
また、機台２上には、台車１３が、図１および図２における左右方向に移動できるように配置されており、この台車１３から、一対のコイル回転バー１５，１５がシャワータンク３側に向かって延出されている。
【００１６】
台車１３は、機台２に設けられたレール２ａ，２ａ上を転動する車輪１３ａ，１３ａを備えており、また、走行モーター１４を備えている。
この走行モーター１４が駆動されることで車輪１３ａ，１３ａが回転され、台車１３は左右方向に移動できるものである。
また、台車１３には回転バー駆動モーター１９，１９が設けられており、この各回転バー駆動モーター１９が駆動することにより各コイル回転バー１５，１５が回転されるように構成されている。
【００１７】
一対のコイル回転バー１５，１５は、シャワータンク３内の線材コイル７の内周側に配置される使用位置から、シャワータンク３の端側で待機される待機位置に亘り、台車１３を介し左右方向に移動できるものである。
一対のコイル回転バー１５，１５が使用位置に配置された状態では、図５に側面図で示すように、一対のコイル回転バー１５，１５は、Ｃ形フック６に掛止されている線材コイル７の内周の上部部位に当接した状態となり、回転バー駆動モーター１９，１９が作動することでコイル回転バー１５，１５が回転されると、これに伴い線材コイル７がコイル回転バー１５の回転につられて回転されるものである。
コイル回転バー１５，１５により線材コイル７を回転させて、Ｃ形フック６の受け面６ａに接している線材コイル７の内周面をずらしてゆくことができ、Ｃ形フック６の受け面６ａに対する線材コイル７の内周の接触面が徐々にずらされ、これにより、線材コイル７を構成しているコイルの密度が平均化されるとともに、Ｃ形フック６と接触していた面にも確実にシャワー水が当たり、線材コイル７の内周および外周の全域を良好に洗浄することができるものとなる。
【００１８】
即ち、コイル回転バー１５，１５を回転させて線材コイル７を徐々に回転させてゆき、内洗シャワー管１０，１０のそれぞれのノズル部１０ａ，１０ｂから噴出されるシャワー水を線材コイル７の内周全域に噴出させて内周全域を洗浄することができ、また、外洗シャワーリング１２の上部のみに設けられているノズル部１２ａ，１２ａ，１２ａから噴出されるシャワー水も、コイル回転バー１５，１５の回転に伴い線材コイル７が徐々に回転することで、線材コイル７の外周全域がノズル部１２ａ，１２ａ，１２ａから噴出される洗浄水で洗浄されることとなる。
【００１９】
なお、回転バー駆動モーター１９，１９の近傍等には、図示しないコイル回転バー１５，１５の回転量を検出する回転センサ等が設けられており、この回転センサ等の検出信号に基づいて図示しない制御部では前記シャワー走行モーター１８を適正に連動するように制御することができ、例えば、前記ノズル部１０ａ，１０ｂから１分間に６５０リットルのシャワー水を噴出させる設計とし、また、外洗シャワーリング１２のノズル部１２ａ，１２ａ，１２ａからも１分間に６５０リットルのシャワー水を噴出できるような設計において、コイル回転バー１５，１５を回転バー駆動モーター１９，１９により９０度ずつ５回に分けて回転させ、全体として４５０度回転させるように設定し、その間に内洗シャワー管１０，１０および外洗シャワー管１１，１１をシャワー走行モーター１８により３往復させるように制御部で制御して、効率良く線材コイル７の内周および外周を全域に亘り良好に洗浄できるものとなる。
【００２０】
なお、線材コイル７が大径のものであっても小径のものであっても、制御部を介してコイル回転バー１５，１５の回転と内洗シャワー管１０，１０および外洗シャワー管１１，１１の往復動を適正化させて、効率良く洗浄することができるものである。
【００２１】
なお、本例では、内洗シャワー管１０，１０のノズル部１０ａ，１０ｂから噴出される洗浄水は下向きであり、また、外洗シャワーリング１２のノズル部１２ａ，１２ａ，１２ａから噴出されるシャワー水も下向き又は横向きであるため、噴出されるシャワー水が上方へ噴き上げられることはない。
【符号の説明】
【００２２】
１  高圧水洗装置
２  機台
３  シャワータンク
５  コイル搬送台
６  Ｃ形フック
６ａ  コイル受け面
７  線材コイル
８  シャワーポンプ
９  シャワーホース
１０  内洗シャワー管
１０ａ，１０ｂ  ノズル部
１１  外洗シャワー管
１２  外洗シャワーリング
１２ａ  ノズル部
１３  台車
１３ａ  車輪
１４  走行モーター
１５  コイル回転バー
１６  走行用車輪
１８  シャワー走行モーター
１９  回転バー駆動モーター
【図１】
2014091859.tif 000003
【図２】
2014091859.tif 000004
【図３】
2014091859.tif 000005
【図４】
2014091859.tif 000006
【図５】
2014091859.tif 000007